(57)【特許請求の範囲】
【請求項１】
個人によって提出された顔写真が貼付された申請書又は台紙から顔写真画像データを取り込むＩＤカード作成用複写撮影装置において、
前記顔写真を読み取る顔写真読取手段と、
該顔写真読取手段を用いることにより得られた顔写真画像データに基づき、ＩＤカード作成時に顔画像をＩＤカードに規定の大きさにプリントさせる再生手段とを有し、
前記ＩＤカード作成時にプリントのために利用される前記顔写真画像データは前記申請書又は台紙に貼付された顔写真の範囲より内側の狭い範囲における顔写真画像データとなっていることを特徴とするＩＤカード作成用複写撮影装置。
【請求項２】
前記申請書又は台紙に貼付された顔写真の位置のずれや傾きを読み取る画像認識手段を有し、
前記顔写真読取手段が、該画像認識手段による認識結果に基づき、前記顔写真を読み取ることを特徴とする請求項１に記載のＩＤカード作成用複写撮影装置。
【請求項３】
前記申請書又は台紙に貼付された顔写真の大きさを算出する画像認識手段を有し、
前記顔写真読取手段が、該画像認識手段による認識結果に基づき、前記顔写真を読み取ることを特徴とする請求項１に記載のＩＤカード作成用複写撮影装置。
【請求項４】
前記顔写真読取手段がＣＣＤカメラであることを特徴とする請求項１〜３の何れか１項に記載のＩＤカード作成用複写撮影装置。
【発明の詳細な説明】
【０００１】
【産業上の利用分野】
本発明は申請書又はそれに基づいて作られた台紙に貼られた顔写真を複写することで運転免許証等のＩＤカードを作成するシステムに関する。
【０００２】
【従来の技術】
例えば、ＩＤカードの一例として運転免許証の更新時には各個人によって提出される申請書及び顔写真が受理された後、図４の平面図に示されるように該申請書３の所定位置に必要事項が書き込まれると共に、該顔写真４も所定位置に貼りつけられる。このように加工された申請書３がＩＤカード作成用の複写撮影装置にセットされて顔写真４の画像が取り込まれる。このようにして取り込まれた画像情報及び番号等の必要事項の情報はＩＤカード作成用プリンタに入力されて運転免許証等のＩＤカードが出力される。
【０００３】
【発明が解決しようとする課題】
しかし、前記顔写真を申請書の所定の場所に貼る際に位置目印として図５（ａ）の平面図で点線で示すように規定の写真の大きさで枠線４Ａが印刷されているが受け付けた顔写真の大きさが規定の大きさより若干小さい場合や、貼り位置がずれた場合には枠線４Ａが見えてしまい、この枠線４Ａも複写されて運転免許証等ＩＤカードにプリントされてしまう。それを防止するためには、前記顔写真を正規の場所に貼り変えたり、前記枠線４Ａを消すため白い紙を貼ったり、修正液で消したりする作業が必要になり手間がかかり、更に、前記顔写真４の破損や汚れ付着が起こる危険性が高くなる。
【０００４】
本発明はこのような問題点を排除して顔写真が多少ずれて貼られても貼り替えや修正などの煩わしい手作業を施すことなく自動的に正しい体裁の良いＩＤカードの作成ができるＩＤカード作成用複写撮影装置を提供することを課題目的にする。
【０００５】
【課題を解決するための手段】
この目的は、次の技術手段（１）〜（４）項の何れかによって達成される。
【０００６】
（１）  個人によって提出された顔写真が貼付された申請書又は台紙から顔写真画像データを取り込むＩＤカード作成用複写撮影装置において、
前記顔写真を読み取る顔写真読取手段と、
該顔写真読取手段を用いることにより得られた顔写真画像データに基づき、ＩＤカード作成時に顔画像をＩＤカードに規定の大きさにプリントさせる再生手段とを有し、
前記ＩＤカード作成時にプリントのために利用される前記顔写真画像データは前記申請書又は台紙に貼付された顔写真の範囲より内側の狭い範囲における顔写真画像データとなっていることを特徴とするＩＤカード作成用複写撮影装置。
【０００７】
（２）  前記申請書又は台紙に貼付された顔写真の位置のずれや傾きを読み取る画像認識手段を有し、
前記顔写真読取手段が、該画像認識手段による認識結果に基づき、前記顔写真を読み取ることを特徴とする（１）項に記載のＩＤカード作成用複写撮影装置。
【０００８】
（３）  前記申請書又は台紙に貼付された顔写真の位置のずれや傾きを読み取る画像認識手段を有し、
前記顔写真読取手段が、該画像認識手段による認識結果に基づき、前記顔写真を読み取ることを特徴とする（１）項に記載のＩＤカード作成用複写撮影装置。
【０００９】
（４）  前記顔写真読取手段がＣＣＤカメラであることを特徴とする（１）〜（３）項の何れか１項に記載のＩＤカード作成用複写撮影装置。
【００１３】
【実施例】
以下この発明のＩＤカード作成用複写撮影装置の実施例を図面に基づいてその作用と共に詳細に説明する。しかし、本発明の態様はこれに限定されるものではない。即ち、この実施例では、ＩＤカードとして運転免許証を作成する場合について説明するが、ＩＤカードとしては、学生証、身分証明証、クレッジットカード、登録証明証等があり、これらのＩＤカードの作成についても同様に適用される。
【００１４】
図１は運転免許証を作成する場合のフローを説明する概略図である。運転免許証の交付を受ける申請者１は、警察署２において申請書３に所定事項を記入し、顔写真４を貼付して提出する。申請書３を各警察署２で受付ける時、専用スタンプで申請書３の所定位置に登録番号１２を押印して免許センター５へ送付する。
【００１５】
免許センター５において、番号登録装置６で免許番号を登録し、プリンタ７に申請書３を挿入して所定位置に免許番号８を印字する。免許番号８が印字された申請書３を複写撮影装置２０にセットし、この複写撮影装置２０において免許番号８と貼付された写真４から画像を撮影することで、運転免許証を作成するための情報を取り込む。
【００１６】
また、図３の平面図に示すような台紙９を使用する場合には、免許センター５で免許番号８とその他氏名、生年月日等必要な情報が印字された連続台紙が発行され、台紙ごとにミシン目で切り離され、申請書に添付された写真を所定の位置に貼替える。これを複写撮影装置２０にセットし、免許番号と写真から画像を撮影することで運転免許証を作成するための情報を取り込む。
【００１７】
複写撮影装置２０から読み込まれた情報を免許証プリンタ２２へ出力し、免許証プリンタ２２で運転免許証の作成を行う。免許センター５で作成された運転免許証は、警察署２へ送付され、警察署２で申請者１は免許証を受け取る。
【００１８】
次にこの発明のＩＤカード作成用複写撮影装置の構成について説明する。図２はＩＤカード作成用複写撮影装置の構成図である。ＩＤカード作成用複写撮影装置２０は、帳票としての申請書又はカードに記載された個人当たりの固有番号としての免許番号等を読み取ると共に、シートの台紙に貼付された顔写真４を読取ることでＩＤカードである運転免許証を作成するための情報を取り込む。ＩＤカード作成用複写撮影装置２０には、上部に自動供給部３０が、その下部に番号読取部４０が、その下部に画像認識手段としての画像認識センサー（以後、画像認識センサーという）４５が、その下部に顔写真読取手段としての顔写真読取部（以後、顔写真読取部という）５０が、その下部に情報読取部６０が配置されている。
【００１９】
自動供給部３０には、帳票としての申請書を供給する申請書供給部３１と、カード状のシートの台紙を供給する台紙供給部３２とが備えられている。申請書供給部３１には申請書トレー３３がセットされ、台紙供給部３２には収納部を構成する台紙トレー３４がセットされる。申請書トレー３３から申請書と、台紙トレー３４からの台紙を搬送する共通の搬送部７０が備えられ、この搬送部７０の搬送路７１に沿って免許番号等を読み取る番号読取部４０と、顔写真４のずれや傾きを読み取る画像認識センサー４５と、顔写真４を読み取る顔写真読取部５０とが配置されている。
【００２０】
番号読取部４０には、ＯＣＲリーダ４１が備えられ、ＯＣＲリーダ４１により免許番号等を読み取り、この読取情報は解読部４２で解読されてＣＰＵ５４に送られ、ＣＰＵ５４から処理部２１へ送られる。画像認識センサー４５で読み取られた傾き角θ及び縦横のずれ量のうち、縦（搬送方向）のずれ量はＣＰＵ５４に送られ、搬送部７０のステッピングモータ７３の補正駆動を行わせると共に傾き角θ及び横のずれ量はＣＰＵ５４に送られ、顔写真読取部５０のＣＣＤカメラ５１を作動させる。
【００２１】
顔写真読取部５０には、ＣＣＤカメラ５１が備えられ、ＣＣＤカメラ５１により顔写真を読取り、アナログ色信号を画像処理部５２へ送り、画像処理部５２で画像処理されて処理部２１へ送る。ＣＣＤカメラ５１には照明灯５３が備えられ、ＣＣＤカメラ５１はＣＰＵ５４で制御される。顔写真読取部５０には、台紙を情報読取部６０のスキャナー部６１の手前で分岐し排出する台紙排出部５５を備えており、切替ガイド５６の操作で搬送路７１を切り替え台紙をスキャナー部６１の手前で分岐し、台紙バケット５７へ排出する。
【００２２】
搬送部７０は、搬送路７１を搬送ローラ７２によって形成し、この搬送ローラ７２はステッピングモータ７３を駆動源とする動力伝達手段７４により駆動可能になっている。動力伝達手段７４は、例えばベルトで構成される。
【００２３】
情報読取部６０には、免許番号等及び写真の読取り後、申請書の記録情報を読み取るスキャナー部６１が備えられ、スキャナー部６１はＣＰＵ６２で制御され、読取情報はＣＰＵ６２により処理部２１へ送られる。スキャナー部６１により読取が終了した申請書は申請書バケット６３へ排出される。処理部２１では、免許番号を読取ることで運転免許証を作成するための情報を取り込み、免許証プリンタ２２へ出力してＩＤカードとしての運転免許証を作成する。
【００２４】
従って、この複写撮影装置２０では、申請書の入った申請書トレー３３を申請書供給部３１にセットし、また台紙の入った台紙トレー３４を台紙供給部３２にセットし、このようにして申請書及び台紙をオートフィーダにセットすることができる。
【００２５】
例えば、申請書に免許番号が印字されている場合は、申請書の入った申請書トレー３３を申請書供給部３１にセット、申請書のみ搬送すれば良い。また、台紙に写真を貼る方式の場合は、台紙の入った台紙トレー３４を台紙供給部３２にセットし、台紙のみを搬送すればよい。
【００２６】
そして、複写スタート指令により、申請書又は台紙が１枚ずつフィードされ、搬送ローラ７２によって免許番号の印刷されている位置がＯＣＲリーダ４１の位置に到達する迄搬送される。その位置で停止し、ＯＣＲリーダ４１により免許番号が読み取られる。その後、顔写真位置が画像認識センサー４５の位置に到達し、顔写真の傾きやずれが読み取られ、更に該顔写真がＣＣＤカメラ５１に到達する迄搬送され、停止して、ＣＣＤカメラ５１により顔画像が読み込まれる。
【００２７】
次に上記実施例を更に展開する７つの実施例について説明する。
【００２８】
先ず、第１の実施例を説明する。図５（ａ）の平面図で示すように、点線４Ａで示す枠線は、この線上に、提出された顔写真４が貼り込まれるようにあらかじめ印刷されたものである。しかし、担当の係員が数多くの写真を貼るので中にはずれたり曲がったりして貼られることがある。またずれないとしても図５（ａ）に示すように顔写真４そのものが規準の枠線４Ａより小さい場合もある。
【００２９】
このような状態であるので、図６に示すように前記ＣＣＤカメラ５１で枠線一杯の顔写真を撮ると顔写真の外側の枠線まで写し込まれてしまい、この情報が免許証プリンタ２２に送り込まれると、出力されるＩＤカードとしての免許証も枠線が入ったものとなり体裁が悪くなるが、図７に示すように前記ＣＣＤカメラ５１のレンズ５１Ｂから顔写真４までの距離を図６のＬ1から図７のＬ2にまで近接させることにより、Ｈ1の枠線ぎりぎりの大きさの撮影領域はそれより適量狭くした範囲、例えば、数％狭くした領域を写し込むようにすることができ、多少ずれた貼り方がされたり顔写真そのものが多少、小さなものてあっても、枠線４Ａが写し込まれたり顔写真が曲がって写し込まれるというような不都合なことは回避できることになる。
【００３０】
図５（ｂ）に示すように画像の取り込み範囲を例えば２４ｍｍ×３０ｍｍの規定値よりも５％小さい２２．８ｍｍ×２８．５ｍｍで取り込み、免許証プリンタ２２へは画像をその分拡大して規定値である２４ｍｍ×３０ｍｍで出力する。これにより幅方向で１．２ｍｍ、縦方向で１．５ｍｍの余裕が生まれる。これは図６に示すように顔写真４とレンズ５１Ｂ間の距離をＬ1にして該顔写真４のＨ1の全領域をＣＣＤカメラ５１のＣＣＤ５１Ａの全領域Ｉに結像させていたものを、ＣＣＤカメラ５１の位置をその撮影レンズ５１Ｂと共に移動させて図７に示す位置、即ち、前記顔写真４とレンズ５１Ｂ間の距離をＬ2に縮めて、該顔写真４の全領域Ｈ1の５％減の領域であるＨ2の領域を前記ＣＣＤカメラ５１で写し、ＣＣＤ５１Ａの全領域であるＩに結像させるようにしたものである。そしてレンズの焦点を焦点距離をｆ1とすれば、Ｈ1＝Ｌ1×１／ｆの関係が成り立ち、Ｈ1を５％減らしてＨ2にするにはＬ2＝０．９５Ｈ1×ｆ／Ｉの位置にＣＣＤカメラ５１をそのレンズ５１Ｂと共に前進させれば良いことになる。以上は縦方向領域Ｈ1をＨ2に縮小して写し込むことについて説明したが横方向の領域Ｋ1も同様にＫ2に縮小される。
【００３１】
そして、ＩＤカードとしての免許証を作成する免許証プリンタ２２には、ＣＣＤカメラ５１のＣＣＤ５１Ａ一杯のＩ，Ｊの大きさに結像された情報を２４ｍｍ×３０ｍｍの大きさに拡大プリントするように情報伝達することにより、体裁のよい、顔写真の縁の影や点線を写し込む等のことのない画像の顔写真をプリントし、目的のＩＤカードを得ることができるようにした。
【００３２】
また、カメラの位置を変えて撮影範囲を狭くする以外にも画像の取り込み範囲自体を狭くして画像処理部にデータを送り画像処理にて拡大をする方法もある。
【００３３】
次に第２の実施例について説明する。
【００３４】
申請書３又は台紙９は申請書供給部３１又は台紙供給部３２より、搬送路７１に沿って、搬送部７０によって送り込まれ、顔写真読取部５０の直前の画像認識センサー４５のところで停止し、ここで図１０の顔写真の位置ずれ検出量を示すようなずれ量として傾き角θと、縦（搬送方向）の規準位置ＢからのずれｄＢと横の規準位置ＡからのずれｄＡが検出される。
【００３５】
そして、その検出量はＣＰＵ５４に送られ、そこから傾き角θと横ずれ量ｄＡはＣＣＤカメラ５１に送られ、図８（ａ）に示す正面図及びその側面図である図８（ｂ）と図９（ａ）に示す側面図及びその正面図である図９（ｂ）にそれぞれ示すようにカメラの位置が補正され、縦ずれ量ｄＢはＣＰＵ５４から搬送部７０に送られ、そのステッピングモータ７３を駆動して、搬送ローラの駆動を補正して縦方向のずれが皆無になるようにしてある。
【００３６】
次に第３の実施例について説明する。
【００３７】
これは第２の実施例の横方向のずれ量ｄＡ及び傾き角θの補正をカメラを移動させて行う手段を更に具体的に示したものである。図８及び、図９に示すようにＣＣＤカメラ５１は第１フレーム５２１に固定され、該第１フレーム５２１の一端には該カメラ５１の光軸と一致する軸心を有する軸５２２が固設されていて、該軸５２２の他端は第２フレーム５１１に、回転可能に軸支されている。また、該軸５２２にはギア５２４が固定されている。また、第２フレーム５１１には、前記傾き角θ補正用のパルスモータ５１８が固設され、該モータ５１８の回転軸５１８Ａにはギア５１９が固設され、該ギア５１９は前記ギア５２４と噛合して、前記ずれ角度θの信号を受けてそれを戻すべく前記パルスモータ５１８がパルスを受けて回転し、カメラの傾き角度がθだけ該ずれθに合わせるべく回転して補正されるようにしてある。また、第１フレーム５２１の他端にはガイドローラ５２３が固設され第２フレーム５１１の端部に設けられたガイド溝５２３Ａ内にスライド可能に保持されている。
【００３８】
一方、第２フレーム５１１には、ＣＣＤカメラ部本体５１０に固定されたガイドシャフト５１３上をスライド可能にしたスライダー５１２が固定して設けられており、該フレーム５１１の両端にはワイヤ５１５の両端５１５Ａ，５１５Ｂが固定され、該ワイヤは５１４にかけられその１つのプーリ５１４はパルスモータ５１６の回転軸に固定されている。
【００３９】
これにより、横方向の顔写真のずれ量ｄＡが前記画像認識センサー４５で読み取れたら、それを受けたＣＰＵ５４からの指令で、パルスモータ５１６がその指示パルス数だけ回転し、カメラ５１をそれを固定した第１フレーム５２１毎第２フレーム５１１のスライダー５１２が、ワイヤ５１５によってガイドシャフト５１３上をスライドされて適正な顔写真の取り込み位置まで移動されるようにしたものである。
【００４０】
これによって、傾き角θと、横方向のずれ量ｄＡが確実に補正される。
【００４１】
第４の実施例は顔写真４の大きさが規定の大きさより小さいことが検出されている場合には、第２及び第３の実施例では正しい画像が撮り込めないので、このときは、画像認識センサー４５により顔写真４の大きさＬ，Ｈを測定し、傾き角θで該Ｌ，Ｈを補正し正確な写真の大きさに相当する画像のみを切り出して、ＣＣＤカメラ５１のＣＣＤ５１Ａ内に撮像して、それをＩＤカード（免許証）プリンタ２２に出力する。
【００４２】
次に第５の実施例について説明する。
【００４３】
これは申請書３や台紙９やずれて出来上がった不良のＩＤカードから前記傾き量θや縦横のずれ量ｄＢ，ｄＡをオペレータが読み取り、それをオペレーションパネルからテンキー等によって入力させる手段を持たせたものである。これによってパルスモータ５１６や５１８がそのオペレーションパネルからのテンキーによる入力信号を受け、請求項２と同様に作動してカメラ位置が補正されるようにしたものである。
【００４４】
次に第６の実施例について説明する。
【００４５】
これは第５の実施例と同様にオペーレーションパネルに設けたテンキーによる情報によってい傾き角θと横方向のずれｄＡを請求項３に示したものと同様な手段でカメラを移動させることによって補正を行わせるようにしたものである。
【００４６】
次に第７の実施例について説明する。
【００４７】
これは、図１１に示すように、ＣＣＤカメラ５１のＣＣＤ５１Ａの撮像領域は横と縦の比が４：３であり、このようなＣＣＤ５１Ａを使用すると顔写真４の横２４ｍｍ、縦３０ｍｍに対し、縦３０ｍｍにすると横は４０ｍｍまで可能であることがわかる。即ち、極端に言えば、横写真４が横方向に±８ｍｍずれていてもそれ以内の横方向の顔写真４のずれ量に応じて画像の切り出し開始位置を入力してやればＣＣＤカメラ５１を横方向へ動かして修正することなく、ＩＤカードプリンタ２２で出力されたプリント画像が傾いたり、枠線を写し込んだりするようなことはなく、体裁のよいプリントがなされＩＤカードを作成することが可能になる。
【００４８】
【発明の効果】
本発明により、ＩＤカードとして例えば運転免許証の作成を採り上げても免許申請者から提出された申請書の顔写真が基準位置からずれて貼付けされた場合や顔写真が小さい場合でも、それを剥がして正しい位置に貼り直したり、枠線として示される印刷された点線を修正液で消したりすることなく、本発明のＩＤカード作成用の複写撮影装置が自動的に修正動作を起し、体裁のよい高品質のＩＤカードとして例えば免許証等が作成可能になった。そして、面倒で熟練した作業を伴うことがなくなり効率的な高品質のＩＤカード作成業務が行えるようになった。
【図面の簡単な説明】
【図１】ＩＤカードとしての運転免許証作成のフローを示す概略図。
【図２】複写撮影装置の概略正面図。
【図３】申請書の模式図。
【図４】台紙の模式図。
【図５】（ａ）は顔写真とその貼付枠線のずれを示す模式図。（ｂ）は顔写真の正規の大きさに対して、縮小した取り込み範囲を示す模式図。
【図６】顔写真の全部の範囲を写すカメラ位置を示す模式図。
【図７】顔写真の全部より縮小した範囲を写すカメラの位置を示す模式図。
【図８】（ａ）はカメラの横方向の移動装置の正面図。（ｂ）はその側面図。
【図９】（ａ）はカメラの回転装置の側面図。（ｂ）はその正面図。
【図１０】貼付けた顔写真の基準貼付位置からのずれ量を示す説明図。
【図１１】顔写真形状寸法とＣＣＤカメラの撮影可能範囲を示す説明図。
【符号の説明】
３  申請書
４  顔写真
９  台紙
２０  複写撮影装置
２２  ＩＤカード（免許証）プリンタ
３０  自動供給部
３１  申請書供給部
３２  台紙供給部
４０  番号読取部
４５  画像認識センサー
５０  顔写真読取部
５１  ＣＣＤカメラ
５１Ａ  ＣＣＤ
５１Ｂ  レンズ
５２  画像処理部
５４  ＣＰＵ
５６  切替ガイド
５７  台紙バケット
６０  情報読取部
６１  スキャナー
６３  申請書バケット
７０  搬送部
７１  搬送路
７２  搬送ローラ
７３  ステッピングモータ
７４  動力伝達手段（ベルト）
５１０  ＣＣＤカメラ部本体
５１１  第２フレーム
５１２  スライダー
５１３  ガイドシャフト
５１４  プーリ
５１５  ワイヤ
５１７  パルスモータ
５１９  ギア
５１６  パルスモータ
５２１  第１フレーム
５２２  固定軸
５２３  固定軸
５２４  ギア
θ  傾き角
ｄＡ，ｄＢ  ずれ量
【図１】
0003663662.tif 000002
【図２】
0003663662.tif 000003
【図３】
0003663662.tif 000004
【図４】
0003663662.tif 000005
【図５】
0003663662.tif 000006
【図６】
0003663662.tif 000007
【図７】
0003663662.tif 000008
【図８】
0003663662.tif 000009
【図９】
0003663662.tif 000010
【図１０】
0003663662.tif 000011
【図１１】
0003663662.tif 000012